(57)【要約】【課題】  シーン毎に一つのファイルとして動画像データを保存可能とする。【解決手段】  動画像信号と共に、前記動画像信号の記録開始の指示から記録停止の指示までの一連のシーンの画像信号に対して同一の値を有し且つ隣接する前記シーン間で異なる値を持つ識別フラグ情報とが記録された多数のトラックが形成されたテープ状記録媒体から再生装置により再生された前記動画像信号と前記識別フラグ情報とを入力し、前記入力された識別フラグ情報の値の変化に基づいて、前記テープ状記録媒体に記録された一つのシーンの前記動画像信号を一つのファイルとして保存する。【選択図】  図５
2006202433.tif 000002
【特許請求の範囲】
【請求項１】
動画像信号と共に、前記動画像信号の記録開始の指示から記録停止の指示までの一連のシーンの画像信号に対して同一の値を有し且つ隣接する前記シーン間で異なる値を持つ識別フラグ情報とが記録された多数のトラックが形成されたテープ状記録媒体から再生装置により再生された前記動画像信号と前記識別フラグ情報とを入力し、前記入力された識別フラグ情報の値の変化に基づいて、前記テープ状記録媒体に記録された一つのシーンの前記動画像信号を一つのファイルとして保存することを特徴とする記録装置。
【請求項２】
前記動画像信号と共に前記動画像信号の記録日時の情報も入力し、前記識別フラグ情報の変化後の先頭部分の前記動画像信号に係る前記記録日時情報を前記ファイルに付加して保存することを特徴とする請求項１記載の記録装置。
【請求項３】
前記動画像信号の入力開始時点から、その後前記識別フラグ情報の変化点を検出するまでの間に入力された前記動画像信号を一つのファイルとして保存することを特徴とする請求項１記載の記録装置。
【発明の詳細な説明】
【技術分野】
【０００１】
本発明は記録装置に関し、特に外部の再生装置より再生された動画像信号の記録処理に関する。
【背景技術】
【０００２】
DVCなどのテープに記録を行う撮像装置では、撮影後に他のハードディスクやDVDなどのメディアへ転送する際に、テープ上の撮影動画像は１つの連続した動画像ファイルとみなされる。
【０００３】
テープに記録した動画像には、複数の異なった場所、日付・時間に録画したデータが入っており、それらがすべて１つのファイルになってしまうことはユーザーが望んでいることではなく、使い勝手を低下させる要因になっている。ユーザーが手動でファイルの区切りを指示し、ファイルを編集、分割することは可能であるが、ユーザーは動画像をすべてサーチし、希望のすべての部分で何らかの操作をする必要があり、多大な手間と時間を要する。
【０００４】
従来の撮像装置には、動画像情報の色彩、輝度等の特徴が変化する時点でファイル分割するものがある。（例えば、特許文献１参照。）
図１により、従来のファイル分割する方式について説明する。
【０００５】
動画像ファイル１００が画像ファイル読み込み手段１０１で読み込まれ、区切り特定手段１０２およびファイル分割手段１０３へ送られる。
【０００６】
区切り特定手段１０２では入力された画像ファイル１００から動画像情報の色彩、輝度等の変化量を前後のフレームから演算により求め、特定のしきい値などによって、変化量がしきい値を超える場合には、その動画像の区切りとしてその位置をファイル分割手段１０３へ送る。
【０００７】
ファイル分割手段１０３では画像ファイル読み込み手段１０１から送られてきた動画像ファイル１００を区切り特定手段１０２から送られてきた区切り位置によってファイルを分割し、細かい単位の画像ファイル１０５として出力する。
【０００８】
また、ファイル分割手段１０３には、画像ファイル分割時にどのような特徴を用いて変化量を求めるかを選択する選択手段１０４がある。ここで、選択する特徴によって画像ファイル１０５の分割の仕方を変えることができる。
【０００９】
以上の手順によって、動画像情報の色彩、輝度等の特徴が変化する時点でファイル分割することができる。
【特許文献１】特開平１０−２２４７３５号公報
【発明の開示】
【発明が解決しようとする課題】
【００１０】
DVCなどのテープに記録を行う撮像装置では、撮影後に他のハードディスクやDVDなどのメディアへコピーする際にそのままの状態であれば、テープ上の動画像は１つの巨大なファイルとみなされてしまう。
【００１１】
テープに記録した動画像には、複数の場所、日付・時間に録画したデータが入っている可能性があり、それらがすべて１つのファイルになってしまうことはユーザーが望んでいることではなく、使い勝手を低下させる１つの要因になっている。ユーザーが手動でファイルの区切りを指示し、ファイルを編集、分割することは可能であるが、ユーザーは動画像をすべてサーチし、希望のすべての部分で何らかの操作をする必要があり、非常に手間と時間を要する。
【００１２】
また、従来の撮像装置には、動画像情報の色彩、輝度等の特徴が変化する時点でファイル分割を行うものがある。
【００１３】
しかしながら、上記従来技術の構成では、変化量を抽出するためには、フレームごとの特徴、あるいはフレーム間の特徴を抽出し、抽出した特徴を比較する手段が必要であり、複数のフレームを保存するメモリ、演算回路等が必要であり、コストがかかるといった欠点がある。また、上記従来技術では動画像の時間的な変化を演算し、変化量の大きい部分を分割するが、変化量が大きい部分が必ず、ファイル分割に適した部分とは限らず、不適切なファイル分割位置を求めてしまい、不要な分割が行われる可能性がある。もしくは必要な部分で変化量が少なく、ファイル分割が行われない可能性もある。
【００１４】
また、撮影時に撮影開始ボタンをおしてから撮影終了・一時停止ボタンを押すまでを１つのファイルとして分割されれば、撮影単位ごとのファイルとなり、撮影単位は同じ場所、日時に撮影したデータであるため、ユーザーがファイルを整理する際に便利である。
【００１５】
本発明は、上記問題点を解決し、簡単な構成でシーン毎に一つのファイルとして動画像データを保存可能とすることを目的とする。
【課題を解決するための手段】
【００１６】
本発明は、動画像信号と共に、前記動画像信号の記録開始の指示から記録停止の指示までの一連のシーンの画像信号に対して同一の値を有し且つ隣接する前記シーン間で異なる値を持つ識別フラグ情報とが記録された多数のトラックが形成されたテープ状記録媒体から再生装置により再生された前記動画像信号と前記識別フラグ情報とを入力し、前記入力された識別フラグ情報の値の変化に基づいて、前記テープ状記録媒体に記録された一つのシーンの前記動画像信号を一つのファイルとして保存する。
【発明の効果】
【００１７】
本発明の撮像装置によれば、特別な手段を必要とすることなくテープ上の動画像データをシーン毎にファイルへ分割して保存することができる。
【発明を実施するための最良の形態】
【００１８】
以下、図面を参照しながら本発明の好適な実施の形態を説明する。図２が本発明の撮像装置と他の機器の接続例を示した図である。本発明による撮像装置２００はテープ２０３とメモリカード２０４用のスロットを内蔵している。また、USB、IEEE１３９４等の外部インターフェースを有しており、PC２０１や他のレコーダ２０２（DVDレコーダ、HDDレコーダ等）と接続できるようになっている。各実施例は他のメディア（カード２０４、DISC２０５、HDD２０６）へテープから動画像をファイル分割しながら転送する手段を説明している。
【実施例１】
【００１９】
図３において撮像装置３０６はテープ３０２を読み書きするデッキ部３０１、メモリカード３０５を読み書きするメモリカードスロット３０４、ＣＰＵ３００、ＲＡＭ３０３で構成されている。
【００２０】
テープ３０２からメモリカード３０５へ動画像をコピーする手順は以下のようになる。テープ３０２には撮影された動画像が記録されており、デッキ部３０１で撮影動画像が読み出され、CPU３００によってRAM３０３に一旦保存される。RAM３０３からメモリカードスロット３０４に挿入されているメモリカード３０５へファイルとして保存するが、その際にはCPU３００によってメモリカード３０５に最適な動画像フォーマットへ変換されて保存される。
【００２１】
また、撮像装置３０６ではテープ３０２に動画像を記録する際に図４に示されるフラグを同時に記録する機能を有している。
【００２２】
図４においてテープ４００上にはユーザーが撮像装置に録画スタートを指示した時点から動画像の記録と同時に上書き防止フラグ(Over Write Protection Code : ＯＷＰ)の記録を開始する。録画一時停止、あるいは録画停止指示が出されると撮像装置は動画像の記録と上書き防止フラグの記録を停止する。その間、上書き防止フラグは常に一定の値で記録する。
【００２３】
ユーザーが再び撮像装置に録画スタートを指示した時点から動画像の記録を再開するが、上書き防止フラグは前回記録した値と異なる値で記録を開始する。
【００２４】
ユーザーが録画を行うたびに以上の処理が繰り返し行われる。以上の処理によって上書き防止フラグが動画像データとともにテープへ記録される。
【００２５】
図５はテープ全体の動画像データをメモリカードに上書き防止フラグを利用してファイル分割してコピーする際の処理の流れを説明したものである。
【００２６】
処理が開始５００されるとテープが先頭まで巻き戻される（５０１）。テープの巻き戻しが終了するとテープ再生５０２が開始され、テープ上の上書き防止フラグ（ＯＷＰ）がリード５０３される。
【００２７】
上書き防止フラグが存在していたならば、メモリカード上にファイルをオープン５０４し、ファイルの書き込み準備をする。
【００２８】
テープから動画像データを読み込んだら、直ちにメモリカード上にオープンしたファイルへ動画像データを書き込んでいく（５０５）。
【００２９】
メモリカードへ動画像データを書き込んでいる最中にも常に上書き防止フラグを読み込んで上書き防止フラグが変化していないかを監視５０６し、上書き防止フラグが変化する時点まで、メモリカードへ動画像データを書き込む。
【００３０】
上書き防止フラグが変化したならば、直ちに動画像データの書き込みを停止し、ファイルをクローズ５０７する。ファイルクローズ後、もしテープの終了５０８ではないときには処理５０３から同様の処理を繰り返し、新たなファイルへ動画像データを書き込んでいく。
【００３１】
このようにしてテープの終了まで上書き防止フラグを監視し、ファイルに分割して動画像データをメモリカードへ書き込んでいく。テープが終了したならば以上の処理を終了５０９する。
【００３２】
また、テープの途中で動画像データが記録されていないことを認識した場合にも同様に終了処理５０９を行う。
【００３３】
また、テープの途中でメモリカードが一杯になり、これ以上書き込めない状態になった場合には、現在記録中のファイルを削除し、上書き防止フラグが変化する時点までテープを巻き戻して、代わりの空き領域のあるメモリカードが挿入されるまで待機する。代わりのメモリカードが挿入されると、テープが再生され、テープの続きの部分からファイルに分割して、転送することができる。
【実施例２】
【００３４】
図６は撮像装置６０１とPC６００をUSBケーブル６０２によって接続した場合の図である。
【００３５】
USBの接続は１本のＵＳＢケーブルを用いて行うが、ＵＳＢの内部信号には、たとえば VideoClassの場合、３本のパイプ６０２があり、それぞれPC６００から撮像装置６０１を制御するパイプA、ビデオ信号を転送するパイプB、ステータスを伝えるパイプCがある。
【００３６】
以上の構成によって、撮像装置のテープからPC内のハードディスク等のドライブへ動画像をファイル分割してコピーする手順を図７にて説明する。
【００３７】
撮像装置とPCがUSBによって接続され、PC上でファイル転送指示によって処理を開始７００すると、PCから撮像装置へ動画送信要求７０１が発生する。動画送信要求はパイプAによって撮像装置へ伝えられる。
【００３８】
続いて、PCではファイルをオープン７０２し、動画像の受信を待機する。撮像装置は動画送信要求により、テープを再生し、動画像の送信を開始７０３する。動画像の送信にはパイプBを使用する。
【００３９】
PCは動画像の受信を開始７０４し、受信した動画像をすでにオープンしてあるファイルへ書き込んでいく（７０５）。
【００４０】
ここで従来の撮像装置の場合にはテープの終了、あるいはユーザーが転送終了の指示を与えるまで、動画像の転送を続ける。その場合には転送開始から転送終了までの期間の撮影画像が連続した１つのファイルとして作成される。
【００４１】
次に、撮像装置は動画像を送信開始と同時に上書き防止フラグ（ＯＷＰ）の監視７０６を開始する。
【００４２】
撮像装置は上書き防止フラグの変化を検出したら直ちに動画データの送信を停止し、パイプCを用いて、ファイル分割を伝えるステータスをPCへ送信７０７する。
【００４３】
PCはステータスが変化するまで、受信した動画像をファイルへ書き込みつづける。ステータスが変化した場合には、ファイルをクローズ７０８する。次の動画データが存在する場合には再び、新規にファイルをオープンし、処理７０２から処理を続ける。
【００４４】
撮像装置は、再び動画像データの転送を開始する。PCでは新規にオープンされたファイルへ受信した動画像データを保存していく。
【００４５】
以上の手順により、テープ上の撮影動画像を上書き防止フラグを用いてファイルを分割し、PC上に動画像データを保存することができる。
【００４６】
また、既存の規格の範囲内で行うために、ステータスとして上書き防止フラグを渡すことをせずに、代わりに上書き防止フラグの変化時にはステータスをテープエンドの時の値にすることでファイル分割位置の特定手段を代用することなどが考えられる。
【実施例３】
【００４７】
図２のように撮像装置２００とレコーダ２０２を接続し、撮像装置２００のテープ２０３からレコーダ２０２のファイルシステムをもつDVD等のメディアへファイル分割して、動画像データをコピーする場合を考える。
【００４８】
この場合も、実施例２と同様な処理の流れとなる。ただし、PCが存在せず、撮像装置の機器同士の接続のため、ＰＣとの接続時にはＰＣが機器の制御を行っていたが、本接続形態の場合には、どちらか一方の機器で他方の機器を制御する必要がある。
【００４９】
その点を除けば、PCとの接続と同様の手順にて実現できる。
【００５０】
ＩＥＥＥ１３９４等では、機器間の制御に関してもすでに確立した技術であり、簡単に実現可能である。
【００５１】
したがって、機器間の接続によって、機器間で制御情報、動画像データ、ステータスを渡すことが可能であれば、どのような接続方法であっても、本発明を実施可能である。
【００５２】
具体的には、１３９４やイーサネット（登録商標）などでの接続が考えられる。
【実施例４】
【００５３】
本発明によって、テープから撮影動画像を他の機器、他のメディアへファイル分割して保存する際に、デープ上の上書き防止フラグの変化時点での最初の部分に記録されている日付、時間などの付加情報をファイルに付加することができる。これらの付加情報をファイルにつけることで、そのファイルの撮影日時がわかるようになり、ファイルを撮影日時で整理することができるようになる。
【００５４】
図８はテープ上の撮影データを付加情報をつけてファイルへ分割した場合の実施例である。
【００５５】
テープ８００からファイル８０１〜８０４へ分割する際に、それぞれファイル名をVideo001、Video002、Video003、Vidoe004とする。
【００５６】
テープをリード中に上書き防止フラグが変化した時点で、変化後の最初のテープ位置に記録されている日付と時刻を読み出す。
【００５７】
ファイルを作成する際に、そのファイルを作成したときの日付と時刻ではなく、上書き防止フラグが変化した時点での日付と時刻をつけて作成を行う。
【００５８】
そうするとたとえば、ファイル８０１にはファイル名がVideo001、日付が2004/01/01、時刻が12:15のように付加される。以下、８０２〜８０４も同様にそれぞれ日付と時刻の情報が付加される。
【００５９】
このようにファイルに日付と時刻の情報が付加されることで、そのファイルを撮影した日時がわかるようになり、ファイルを整理、閲覧する際にその情報を用いることができるため、利便性が向上する。
【００６０】
また、ファイルへの付加する情報として他のものも考えられる。具体的にはそのファイルの長さ（撮影時間）、撮影終了時点の日時などが考えられる。
【実施例５】
【００６１】
現在のテープ位置が撮影動画像の記録開始から記録終了までの途中にあるとき、現在のテープ位置の撮影動画の記録開始から記録終了までの部分を１つのファイルとして取り出したい場合には以下のような処理によって実現する。
【００６２】
ユーザーはあらかじめ、撮像装置でテープを再生、サーチして、ファイルとして取り出したい位置で停止しておく。このときにテープを取り出したい位置の先頭まで移動させておく必要はなく、停止しておくテープの位置は取り出したい撮影動画の記録開始から記録終了までの間であればどの部分でもよい。
【００６３】
したがって、このシーンが含まれている撮影動画の記録開始から記録終了までをファイルとして取り出したいといったときに使用できる。
【００６４】
図９により、処理の流れを説明する。
【００６５】
ユーザーが取り出したい部分の範囲内の位置でテープを停止したら、ユーザーは撮像装置に対しファイル取り出し操作を行う。すると撮像装置はファイル取り出し処理を開始９００する。
【００６６】
はじめに撮像装置はその部分の上書き防止フラグをリードして記憶しておく。上書き防止フラグを記憶後、テープの巻き戻しを開始９０２し、上書き防止フラグが変化するところで停止する。この時点で、ファイルとして取り出したい記録開始時の位置でテープが停止していることとなる。
【００６７】
次に、撮像装置内のメモリカード、あるいは撮像装置と接続されたファイルシステム上に動画像データを書き込むためのファイルを新規にオープン９０４し、テープの再生９０５を始める。デープ再生開始とともに上書き防止フラグをリードし、上書き防止フラグの変化があるまで、テープから読み込んだ動画像データをオープンしてあるファイルへ書き込む９０７。
【００６８】
上書き防止フラグが変化９０８があれば、ファイルをクローズ９０９して、処理を終了する。ここで、上書き防止フラグが変化したところは撮影時に記録を終了した部分である。
【００６９】
以上の処理によって希望の部分の記録開始から記録終了までの動画像データを１つのファイルとしてファイルシステムにコピーすることができる。
【００７０】
本実施例によって、テープを再生中に現在再生しているシーンを含んだ部分のみをファイルに保存したいといった場合にユーザーはその時点で撮像装置にファイル取り出し指示を与えるだけで、簡単にファイルに保存することができる。
【図面の簡単な説明】
【００７１】
【図１】従来例
【図２】本発明の撮像装置との接続図
【図３】内部構成図
【図４】上書き防止フラグ
【図５】ファイル分割処理の流れ
【図６】USB接続図
【図７】USBによる動画像転送の処理の流れ
【図８】ファイルの付加情報
【図９】１つのファイルを取り出す際の処理の流れ
【図１】
2006202433.tif 000003
【図２】
2006202433.tif 000004
【図３】
2006202433.tif 000005
【図４】
2006202433.tif 000006
【図５】
2006202433.tif 000007
【図６】
2006202433.tif 000008
【図７】
2006202433.tif 000009
【図８】
2006202433.tif 000010
【図９】
2006202433.tif 000011